(57)【要約】  本発明は、幾何形状軸（Ｘ）を中心に軸対称な放射パターンを生成すると共に、幾何形状軸（Ｘ）の方向に対して垂直な平面において最大放射を呈するアンテナであって、アンテナのアース面（３００）を形成する導電表面のレベルに位置付けられる第１の端（５ａ）から、Ｎ本の放射ストランド（Ｎは整数である）のセット（２００）に電力供給する第２の端（５ｂ）まで、幾何形状軸（Ｘ）に沿って延びる給電ワイヤ（１００）を含み、放射ストランドの少なくとも１本のアース戻りロッドも含み、当該ロッドは、セット（２００）の放射ストランドのうちの１本をアース面（３００）に連結することを特徴とするアンテナに関する。
2009525648.tif 000002
【特許請求の範囲】
【請求項１】
幾何形状軸（Ｘ）の周りに軸対称な放射パターンを生成すると共に前記幾何形状軸（Ｘ）の方向に対して垂直な平面において最大放射を有するアンテナであって、
該アンテナの接地面（３００）を形成する導電表面に位置する第１の端（５ａ）から、Ｎ本の放射ストランドのセット（２００）に電力供給する第２の端（５ｂ）まで、前記幾何形状軸（Ｘ）に沿って延びる給電ワイヤ（１００）を含み、Ｎは整数であり、
前記アンテナは、前記ストランドの少なくとも１本の接地戻りロッドも含み、該ロッドは、前記セット（２００）の前記放射ストランドのうちの１本を前記接地面（３００）に接続することを特徴とするアンテナ。
【請求項２】
前記Ｎ本の放射ストランド（２１０、２２０、２３０、２４０）の前記セット（２００）は、同じ主平面内に実質的に位置し、前記放射ストランド（２１０、２２０、２３０、２４０）のそれぞれは、前記幾何形状軸（Ｘ）から放射状に延びる初期区分（２１１）に続いて延び、次いで前記幾何形状軸（Ｘ）に中心がある円弧部分（２１６）に沿って延び、前記放射ストランドの前記接地戻りロッド（５１０、５２０、５３０、５４０）は、一方の端（５１２）において前記放射ストランドの前記円弧部分（２１６）の端（２１７）に電気的に接続され、他方の端（５１１）において前記接地面（３００）に電気的に接続されることを特徴とする、請求項１に記載のアンテナ。
【請求項３】
前記Ｎ本の放射ストランド（７１０、７２０、７３０、８１０、８２０、８３０、８４０）の前記セット（２００）は、同じ主平面内に実質的に位置し、前記放射ストランド（７１０、７２０、７３０、８１０、８２０、８３０、８４０）のそれぞれは、前記幾何形状軸（Ｘ）から放射状に延びる初期区分に続いて延び、次いで、前記幾何形状軸（Ｘ）に向かって放射状に延びる戻りブランチが始まる、前記幾何形状軸（Ｘ）に中心がある円弧部分（７１３、８１３）に沿って延び、前記放射ストランドの前記接地戻りロッド（５１０、５２０、５３０、５４０）は、一方の端（５１２）において前記円弧部分（７１３、８１３）と前記戻りブランチとの交差部に電気的に接続され、他方の端（５１１）において前記接地面（３００）に電気的に接続されることを特徴とする、請求項１に記載のアンテナ。
【請求項４】
前記放射ストランド（２１０、２２０、２３０、２４０、７１０、７２０、７３０、８１０、８２０、８３０、８４０）のそれぞれの前記初期区分及び／又は前記戻りブランチは、少なくとも１つの曲折部（２１３）を有することを特徴とする、請求項２または３に記載のアンテナ。
【請求項５】
前記放射ストランドの前記給電ワイヤ（１００）は、少なくとも１つの曲折部（１２０、１３０）を有する剛性ワイヤによって形成されることを特徴とする、請求項１〜４のいずれか１項に記載のアンテナ。
【請求項６】
前記曲折部（２１６、１２０、１３０）は、台形、正方形、長方形、三角形、円弧型、及び／又は他の幾何学的形状であることを特徴とする、請求項４または５に記載のアンテナ。
【請求項７】
前記アンテナは、
前記幾何形状軸（Ｘ）上に中心があり、中心が前記給電ワイヤ（１００）に接続され、外周が前記アンテナの前記Ｎ本の放射ストランド（２１０、２２０、２３０、２４０）のそれぞれに接続された、前記円板（６００）の形状の外部アンテナ支持体を
さらに含むことを特徴とする、請求項１に記載のアンテナ。
【請求項８】
前記アンテナは、
前記幾何形状軸（Ｘ）上に中心があると共に前記給電ワイヤ（１００）の前記第１の端（５ａ）に配置されて前記接地面（３００）と共に容量を形成する、円板（４００）の形状のインピーダンス整合回路を
含むことを特徴とする、請求項１に記載のアンテナ。
【請求項９】
自然な円偏波又は自然な直線偏波を有することを特徴とする、請求項１〜８のいずれか一項に記載のアンテナ。
【請求項１０】
前記放射ストランド（２１０、２２０、２３０、２４０）の前記セット（２００）は、０．１０λ〜０．２５λ程度の直径を有する外周を描き、λは前記アンテナの好適な使用周波数であることを特徴とする、請求項１〜９のいずれか一項に記載のアンテナ。
【請求項１１】
前記接地面（３００）と前記Ｎ本の放射ストランドの前記セット（２００）との間の高さによって画定される前記アンテナの全厚は、０．０２λ〜０．０４λ程度であることを特徴とする、請求項１〜１０のいずれか一項に記載のアンテナ。
【請求項１２】
前記放射ストランド（２１０、２２０、２３０、２４０）はそれぞれ、前記アンテナの前記好適な使用周波数において１／２波長以下の長さを有することを特徴とする、請求項１〜１１のいずれか一項に記載のアンテナ。
【請求項１３】
プリント型であることを特徴とする、請求項１〜１２のいずれか一項に記載のアンテナ。
【請求項１４】
積重体として配置される前記放射ストランドの複数のセット（２００）を有することを特徴とする、請求項１〜１３のいずれか一項に記載のアンテナ。
【発明の詳細な説明】
【技術分野】
【０００１】
本発明は、円偏波アンテナ又は直線偏波アンテナに関し、より詳細には、軸を中心に軸対称な放射パターンを有すると共にこの軸の方向に対して垂直な面において最大放射を有するアンテナに関する。
【０００２】
本発明は、限定的ではないが、より詳細には、プレート（パッチ）技術のアンテナに関する。
【背景技術】
【０００３】
この広範に普及している技術は、航空学、宇宙産業、又はさらには民間及び軍事上の通信のような分野において重要な用途を有する。
【０００４】
プレートアンテナ又はプリントアンテナは、誘電体基板上に、接地面上方の給電ワイヤによって給電される導体パターンを配置することから成る技術によって製造される全ての空中線をひとまとめにするものである。
【０００５】
この縮小寸法の導体パターンがアンテナの放射成分を形成し、正方形、長方形、円板形、さらにはリング形、又は別の形状であってもよい。
【０００６】
今日では、導体パターンが、例えば同じ主要面に実質的に位置する放射ストランドのセットのように見え、且つアンテナの放射パターンの回転の軸に対して平行な同じ給電ワイヤによって給電され、放射ストランドのそれぞれが主要面に対して垂直なこの軸に対して放射状である初期区分に続いて延び、次いで放射ストランドのそれぞれがこの軸上に中心がある円弧に沿って延び、次いで再びこの軸の方へ向かう実質的に放射状の区分に続いて延びて、隣接する放射ストランドと接触することなく隣接する放射ストランドの放射状区分を収容するアンテナもある。
【０００７】
これらのプリントアンテナは、さらなる制限された通過帯域を有する。
【０００８】
さらに、これらの空中線の用途の分野は、嵩が一層少ないアンテナを必要とする。
【発明の開示】
【０００９】
本発明の目的のうちの１つは、既存のアンテナを改良することである。
【００１０】
本発明の別の目的は、寸法の大きいアンテナと比較して、同じ周波数で同等の性能を有する、縮小寸法のアンテナを提案することである。
【００１１】
本発明の別の目的は、特にクリアで自然な円偏波又は自然な直線偏波を有するアンテナを提案することである。
【００１２】
製造が容易で生産コストが低い製造レベルにおいて簡略化されたアンテナを提供することも望ましい。
【００１３】
本発明の別の目的は、他のアンテナ、特にＧＰＳすなわち衛星地球測位タイプのアンテナと非常に簡単に組み合わせることのできるアンテナを提案することである。
【００１４】
以下で明らかになるこれらの目的及び他の目的は、幾何形状軸（Ｘ）の周りに軸対称な放射パターンを生成すると共に幾何形状軸（Ｘ）の方向に対して垂直な平面において最大放射を有するアンテナであって、当該アンテナの接地面を形成する導電表面に位置する１つの第１の端から、Ｎ本の放射ストランドのセットに電力供給する第２の端まで、幾何形状軸（Ｘ）に沿って延びる給電ワイヤを含み、ストランドの少なくとも１本の接地戻りロッドも含み、当該ロッドは、セットの放射ストランドのうちの１本を接地面と接続することを特徴とするアンテナによって達成される。
【００１５】
そのようなアンテナは、プレート技術又はワイヤ技術によって製造することができる。
【００１６】
上記アンテナの構造を用いて、放射周波数帯域の拡張を促進すると共に、アンテナの機械的頑丈性を高めることができる。
【００１７】
本発明による方法の、限定的な態様ではないが特定の好適な態様は、以下のものである。
放射ストランドを形成する初期区分及び／又は戻りブランチが少なくとも１つの曲折部を有し、
放射ストランドの給電ワイヤが、少なくとも１つの曲折部を有する直線状の剛性ワイヤから形成され、
アンテナは、その中心で給電ワイヤに接続されると共に外周でアンテナのＮ本の放射ストランドのそれぞれに接続されている導電円板としての外部アンテナ支持体をさらに含み、
アンテナは、幾何形状軸（Ｘ）上に中心がある円板の形状であり、接地面と共に容量を形成する給電ワイヤの第１の端に配置されるインピーダンス整合回路を含む。
【００１８】
非限定的な例として挙げられている以下の詳細な説明を読むことによって、また添付の図面によって本発明がより良く理解され、他の利点が明らかとなるであろう。
【発明を実施するための最良の形態】
【００１９】
１．アンテナの構造
図１のアンテナは、幾何形状軸Ｘの周りに軸対称な放射パターンを生成するプリントアンテナであり、このパターンの最大放射は、この軸の方向に対して垂直な平面内に現れる（以下では、この軸は、慣例及び説明の便宜上、垂直であると考える）。
【００２０】
アンテナは、４つの主な構成要素、すなわちＮ本の同一の放射ストランドのセット２００（Ｎは整数である）と、接地面３００と、剛性ストランドのＮ本の接地戻りロッドのセット５００と、給電ワイヤ１００とから成る。
【００２１】
幾何形状軸Ｘ上に幾何学的に中心があるＮ本の放射ストランド２１０、２２０、２３０、２４０のセット２００は、幾何形状軸Ｘに対して垂直な主平面内に位置する。
【００２２】
本質的に幾何形状軸Ｘの周りで軸対称な接地面３００は、それに関して、Ｎ本の放射ストランドのセット２００の主平面に対して平行に配置される。
【００２３】
他方では、放射ストランドのＮ本の接地戻りロッド５１０、５２０、５３０、５４０のセット５００はそれぞれ、放射ストランド２１０、２２０、２３０、２４０と関連し、これらを接地面３００に接続する。
【００２４】
放射ストランドのＮ本の接地戻りロッドは、アンテナの接地面３００に位置する第１の端５ａから、Ｎ本の放射ストランドのセット２００に給電する第２の端５ｂまで幾何形状軸Ｘに沿って延びる給電ワイヤ１００とまさに同じように、幾何形状軸Ｘに対して平行に延びる。
【００２５】
ａ．接地面
接地面３００を形成する導電表面に関して、接地面３００は、いくつかの形状を呈し得る。したがって、接地面３００は、平面であっても平面でなくてもよく、連続構造体によって形成されてもされなくてもよい。
【００２６】
反射体の役割を果たすこの表面は少なくとも軸対称であるものとし、それによって、アンテナの放射パターンもこの特徴を有するようにする。
【００２７】
この接地面３００は、中心コア５も有する同軸導線３の補強体４に電気的に接続され、同軸導線３はアンテナへの電力源を形成する。
【００２８】
ｂ．給電ワイヤ
補強体４の電位とは異なる電位に設定される同軸導線３の中心コア５は、給電ワイヤ１００を形成するために、接地面３００を超えてＮ本の放射ストランドのセット２００の方へ延びる。
【００２９】
このワイヤ１００は、Ｎ本の放射ストランドのセット２００において終端する。補強体４に関しては、接地面３００を超えては延びない。
【００３０】
したがって、給電ワイヤ１００は、第１の端５ａにおいて同軸導線３によって励起され、第２の端５ｂにおいてＮ本の放射ストランドのセット２００によって帯電される。
【００３１】
さらに、アンテナの寸法、より詳細にはその高さを減らすために、給電ワイヤ１００は、さまざまな形状及び寸法を有する１つ又は複数の曲折部１２０、１３０を有してもよい。
【００３２】
さらに、曲折部１２０、１３０は、一方では異なる平面内に含まれても含まれなくてもよく、他方では対称の幾何形状軸Ｘを含むか又は含まない平面内に含まれてもよい。
【００３３】
図１では、給電ワイヤ１００は、幾何形状軸Ｘを含む同一平面に、幾何形状軸Ｘのいずれかの側に位置する２つの連続した逆台形形の曲折部１２０及び１３０を有する。
【００３４】
さらに、給電ワイヤ１００は、第２の端５ｂにおいて外部アンテナ支持体に接続されてもよい。
【００３５】
この外部アンテナ支持体は、幾何形状軸Ｘと同軸の導電固体円板６００のように見え、その外周において、同一平面上にあるＮ本の放射ストランドのセット２００に電気的に接続されている。
【００３６】
この外部アンテナ支持体は、導電固体円板６００の上面、すなわち接地面３００と反対の面で外部アンテナを受け入れることができる。例えば、当該外部アンテナ支持体にＧＰＳタイプのアンテナを位置付けることができるであろう。
【００３７】
両方の並置されるアンテナ間には電流は流れず、ＧＰＳアンテナは、接着テープ、スペーサ、又は任意の他の公知の非導電性取り付け手段によって導電固体円板６００上に取り付けられることに留意されたい。
【００３８】
さらに、ＧＰＳアンテナの電源は、給電ワイヤ１００の内部又は外部に配置してもよい。
【００３９】
ｃ．Ｎ本の放射ストランドのセット
放射状の構成要素に関し、図１のセット２００は、これから説明する放射ストランド２１０と同様の形状を有する４本の放射ストランド２１０、２２０、２３０、２４０を含む。
【００４０】
導電固体円板６００の外周から開始して、まず放射ストランド２１０は、導電固体円板６００から放射状に延びる初期区分２１１から成る。初期区分２１１は、幾何形状軸Ｘの周りを逆三角方向（時計周り方向）に９０度にわたって延びる円弧部分２１６が延びることによって構成される。
【００４１】
より一般的には、Ｎ本の放射ストランドのセット２００の場合、円弧部分２１６は、３６０度／Ｎの円弧にわたって延びる。さらに、Ｎ本の放射ストランドのそれぞれは同じ構成を有し、円弧部分２１６は幾何形状軸Ｘの周りを各放射ストランドと同じ方向（反時計方向又は時計方向）に回転する。
【００４２】
アンテナの寸法を減らすために、放射ストランド２１０の初期区分２１１は有利には、１つ又は複数の曲折部２１３を含むことができ、曲折部２１３の形状及び寸法はさまざまであってもよい。
【００４３】
非限定的な例として、曲折部は、台形、正方形、長方形、三角形、円弧型、及び／又は別の幾何学的形状であってもよい。
【００４４】
図１では、初期区分２１１は、大まかな台形形状（大まかなフレアＵ字形状）を有する曲折部２１３を有する。
【００４５】
さらに、好ましくは、放射ストランドのセット２００は、接地面３００から０．０２λ〜０．０４λ程度の距離にあることが分かり、ここでλは、このアンテナの好ましい使用周波数である。さらに、放射ストランドの直径は、接地面３００の外径と実質的に同一である。
【００４６】
ｄ．放射ストランドの接地戻りロッド
放射ストランドの接地戻りロッド５１０、５２０、５３０、５４０に関し、これらは全て、ここで提示される放射ストランド２１０に関連する放射ストランドの接地戻りロッド５１０と同一である。
【００４７】
この直線状の接地戻りロッド５１０は、一端５１２において放射ストランド２１０の円弧部分２１６の端２１７に電気的に接続されており、他端５１１において接地面３００に電気的に接続されている。
【００４８】
電気的機能に加えて、各接地戻りロッド５１０、５２０、５３０、５４０は、機械的な役割を果たし、少なくとも部分的にアンテナを支持する。
【００４９】
他方では、接地戻りロッド５１０、５２０、５３０、５４０の存在によって、アンテナの放射周波数帯域の拡張と、アンテナの機械的頑丈性の増加とが促進される。
【００５０】
ｅ．アンテナの他の構成要素
アンテナの性能を高めるために、代替的な実施形態は、インピーダンス整合装置４００の使用を提供する。
【００５１】
インピーダンス整合装置４００は、幾何形状軸Ｘに中心があると共に同軸導線３の中心コア５と接触するが接地面３００には接続されずに給電ワイヤ１００の第１の端５ａに配置される円板４１０を備える。円板４１０と接地面３００との間の空間は、空気又は誘電体によって占められてもよい。
【００５２】
この円板４１０は、接地面と共に容量を形成する。
【００５３】
好ましくは、円板４１０は、０．５ｍｍ程度の厚さを有する。
【００５４】
さらに、アンテナの代替的な実施形態によって、同軸導線３の代わりに、平面プリント技術において回路を有して製造される別の電力供給源を用いることができる。
【００５５】
この平面プリント技術による電源は、４本の放射ストランド２１０、２２０、２３０、２４０のセット２００とは反対の接地面３００を越えて、例えば図１に示されるアンテナの放射ストランドの主平面内、接地面３００上等、アンテナの任意の位置に配置することができることに留意されたい。
【００５６】
有利には、アンテナの電力供給は、いずれの場合も単一のワイヤによって行なわれ、追加の位相シフト回路は必要なく、これによって、アンテナが、電気的な観点及び機械的な観点の両方から製造が容易な構造となる。
【００５７】
２．アンテナの動作原理
アンテナの動作原理は以下の通りである。
【００５８】
幾何形状軸Ｘは、アンテナの放射パターンの対称軸であることが想起される。
【００５９】
最大放射は、水平方向、すなわち幾何形状軸Ｘの周りの軸方向に、放射ストランドの主平面の方向に放射されるのに対し、最小放射は、幾何形状軸Ｘによって画定される方向にある。
【００６０】
十分に広範な相対使用周波数帯域（＞１０％）にわたって、アンテナは、アンテナの使用周波数及び幾何学的形状に従って自然な円偏波又は自然な直線偏波を生成する。
【００６１】
この周波数帯域にわたって、アンテナの中心部分、特に同軸導線３によって励起されると共にＮ本の放射ストランドのセット２００によって帯電される給電ワイヤ１００は、水平方向に最大である、幾何形状軸Ｘに沿う鉛直方向に偏波された電磁場の成分を生成する。
【００６２】
アンテナの外周部、より詳細にはＮ本の放射ストランドのセット２００は、それに関して、同様に水平方向に最大である、水平方向に偏波された電磁場の成分を生成する。
【００６３】
アンテナの幾何学的形状（寸法、時計回り又は反時計回りの屈曲）及び使用周波数に従って、これらの両方の放射成分間で９０度又は−９０度の位相シフト及び同一の振幅を得ることができる。
【００６４】
異なる放射成分は次いで、水平方向に向かって放射が最大であることが観察される円偏波を生成する。
【００６５】
さらに、特定の使用周波数の場合、アンテナは、２つの放射のうちの一方のみによって励起することができる。
【００６６】
次いで、直線偏波が、水平方向に向かう最大放射を有して生成される。
【００６７】
よって、直線偏波は、幾何形状軸Ｘに対して垂直及び平行であってもよく、又は放射ストランド２１０、２２０、２３０、２４０の主平面に対して水平及び平行であってもよい。
【００６８】
したがって、水平方向に向かう最大放射を有する自然な円偏波又は直線偏波を得ることができ、放射ストランドの屈曲方向が主要偏波を設定する。
【００６９】
図１では、時計回りの屈曲方向が、所定の使用周波数において右円偏波を示す。
【００７０】
接地面３００の寸法によって、最大放射のゲイン、偏波、又はさらには方向のようなアンテナの放射特性に影響を及ぼすこともできる。
【００７１】
例えば、ここで図示するような、接地面３００が放射ストランド２１０、２２０、２３０、２４０によって形成される円周の直径と匹敵する直径を有する場合、これが円偏波を用いたものであるか又は直線偏波を用いたものであるかに関わらず、このアンテナを用いて得られるゲインは通常、０°〜６０°の間に含まれる上昇する角度（水平方向に対する最大放射の方向）に対して１ｄＢ〜２ｄＢ程度である。
【００７２】
さらに、各放射ストランド２１０、２２０、２３０、２４０は、このアンテナの好適な周波数において１／２波長λ以下である長さを有する。
【００７３】
使用周波数帯域を広げるために、追加の放射ストランドを、Ｎ本の初期ストランドのセット上に重ね合わせてもよい。
【００７４】
これらの追加の放射ストランドは、初期ストランドに電気的に接続されていても接続されていなくてもよく、また初期ストランドと同じ寸法であっても異なっていてもよい。
【００７５】
多重周波数動作モードも、好適には異なる直径の平行な平面に沿って放射ストランドの複数のセット２００を重ねることによって、又は４本の放射ストランドのセット２００に接続される多重化装置によって、又はこれらの解決策の両方を組み合わせることによって可能となる。
【００７６】
本明細書に示される本発明のアンテナは、非常にコンパクトであり、曲折部があることによって寸法が縮小される。
【００７７】
したがって、放射ストランド２１０、２２０、２３０、２４０から成る円の外径は、０．１０λ〜０．２５λ程度であり、ここでλは、アンテナの好適な使用周波数である。
【００７８】
そのような小さな直径であることによって、波長に対してアンテナの嵩を減らすことができる。
【００７９】
他方では、アンテナの全厚は波長に比して非常に小さい。
【００８０】
接地面に対する放射ストランドの平面の高さによって画定されるこの厚さは、通常は０．０２λ〜０．０４λ程度である。
【００８１】
さらに、このアンテナの質量は、適した材料を選択することによって非常に小さくすることができる。質量は通常、４００ＭＨｚの周波数において１５０グラム程度である。
【００８２】
さらに、このプリントアンテナの製造に関して、アンテナは、その構造によって、低コストの大量生産によって容易に製造することができる。
【００８３】
放射ストランドと接地面との間の空間は、誘電体材料で占められてもよい。
【００８４】
しかし、本発明によるアンテナは、金属で製造することもできることに留意されたい。
【００８５】
３．アンテナの他の実施形態
図２は、本発明によるアンテナの代替的な実施形態を示し、このアンテナの構造は、Ｎ本の放射ストランドの提示されるセット２００が図１のものと異なる。
【００８６】
このセット２００は、これから説明する放射ストランド７１０と同様の形状をそれぞれ有する、３本の放射ストランド７１０、７２０、７３０を含む。
【００８７】
図１に示される放射ストランドとは異なり、放射ストランド７１０は、追加の円弧として延びる部分７１７を有する。
【００８８】
より詳細には、第１の部分７１３は、幾何形状軸Ｘの周りを１２０°にわたって円弧として延び、且つ導電個体円板６００に向かって放射状に延びると共に導電個体円板６００と接触することなく導電個体円板６００に近接して終端する直線状の戻りブランチ７１５を有して延びる。
【００８９】
この戻りブランチ７１５から、導電個体円板６００の周りに６０°にわたって円弧７１７として延び、全く接触することなく導電個体円板６００に沿って延びる第２の部分７１７が始まる。
【００９０】
円弧７１３及び７１７として延びる２つの部分はそれぞれ、２つの反対の方向、すなわち時計周り方向及び反時計回り方向に幾何形状軸Ｘの周りを回る。
【００９１】
図３は、それに関して、本発明によるアンテナの代替的な実施形態を示し、このアンテナの構造は、Ｎ本の放射ストランドの提示される形状、提示される外部アンテナ支持体６００、及び給電ワイヤ１００が図１のものと異なる。
【００９２】
一方では、給電ワイヤ１００は、幾何形状軸Ｘ上に中心がある中空の軸対称なシリンダを有して形成され、当該シリンダは、その外周が、中心に孔が開いている導電個体円板６００の形状を有する外部アンテナ支持体と接触している。孔の直径は、上記シリンダを受け入れるように調整される。
【００９３】
他方では、図１に示される放射ストランドとは異なり、ここでの放射ストランド８１０は、導電個体円板６００の方へ延びる直線状の戻りブランチ８１５を有して延びる円弧８１３として延びると共に、導電個体円板６００から半分の距離で終端する部分を有する。
【００９４】
以下は、図２を参照して説明した放射ストランド７１０、７２０、７３０のセットに関しても有効である。
【００９５】
図３では、放射ストランドは並んで配置されると共に同じ時計回り方向を有しているため、導電個体円板６００に接続されている各初期区分は、導電個体円板６００から遠いその端において、隣接する放射ストランドの戻りブランチと隣接し、この戻りブランチは、それに関して、導電個体円板６００には接続されていない。
【００９６】
さらに、放射ストランド５１０の接地戻りロッドはここでは、第１の端５１２において、円弧として延びる第１の部分８１３と直線状の戻りブランチ８１５との間の交差部８１４に電気的に接続され、反対の端５１１が接地面３００に電気的に接続されている。
【００９７】
図２及び図３に示されるアンテナの代替的な実施形態は、アンテナの寸法を縮小するために、初期区分、各放射ストランドの戻りブランチ、及び／又は給電ワイヤ上に、さまざまな形状及び寸法を有するか、又は有しない曲折部を設ける。
【図面の簡単な説明】
【００９８】
【図１】本発明の第１の形態によるアンテナの斜視図である。
【図２】本発明の第２の形態によるアンテナの斜視図である。
【図３】本発明の第３の形態によるアンテナの斜視図である。
【図１】
2009525648.tif 000003
【図２】
2009525648.tif 000004
【図３】
2009525648.tif 000005
【国際調査報告】
2009525648.tif 000006
2009525648.tif 000007
2009525648.tif 000008
2009525648.tif 000009
2009525648.tif 000010
2009525648.tif 000011
2009525648.tif 000012
2009525648.tif 000013